(57)【要約】【構成】印判がモーターで上下動するような捺印機において、固定突起を誘導溝により誘導すると共に、可動突起を長孔形状の孔により誘導し、前記固定突起と孔の組合わせと、前記可動突起と誘導溝のそれぞれの組合せが、前記捺印台の受台又は前記スライド部材にそれぞれ別に設けられており、前記スライド部材が弾発部材により弾発支持されており、更に前記捺印用補助具には捺印台に設けられた捺印スイッチを押圧する押圧片をスライド部材に設けたことを特徴とする捺印用補助具である。【効果】両手で被捺印物を固定でき、別スイッチによる捺印機の作動を行うことなく、一連の動作の中で押印器の押圧作業が行える自動捺印機の捺印用補助具である。【選択図】            図１
2004314522.tif 000002
【特許請求の範囲】
【請求項１】
印判がモーターで上下動するような捺印機において、固定突起を誘導溝により誘導すると共に、可動突起を長孔形状の孔により誘導し、前記固定突起と孔の組合わせと、前記可動突起と誘導溝のそれぞれの組合せが、前記捺印台の受台又は前記スライド部材にそれぞれ別に設けられており、前記スライド部材が弾発部材により弾発支持されており、更に前記スライド部材には捺印台に設けられた捺印スイッチを押圧する押圧片を設けたことを特徴とする捺印用補助具。
【発明の詳細な説明】
【０００１】
【産業上の利用分野】
本願発明は、モーター等で印判が上下動可動にしている電動又は自動捺印機の補助具に関するものである。
【０００２】
【従来の技術】
従来より、市場には各種の電動捺印機が存在する。また、次のような先願も存在する。
実公昭５７−２１３３号（以下、（イ）とする。）、実開昭６０−１２０８６３号（以下、（ロ）とする。）、特開平４−１５６３７９号（以下、（ハ）とする。）、実公平１−１６６２５号（以下、（ニ）とする。）、特許登録番号２９３９９０４号（以下、（ホ）とする。）がある。
【０００３】
（イ）は、本出願人と同一であり、その特徴は、捺印台の上方に昇降動される印判を設けると共にこの昇降装置のスイッチの作動子を該捺印台の上面に突出させて該作動子に被捺印部材が接触するとスイッチが入り、印判が昇降動されて自動捺印するようにしている。また、捺印台の上面に埋設している褥板を設けているものであり、本発明とは、目的、構成を異にしている。（イ）は、非捺印物の補助具がないため左右前後の捺印位置が定まらず同一位置に容易く捺印することが出来ない。特に奥に被捺印物を差込む事により、捺印作動のスイッチを操作できる発明はある程度、前後の位置は制限できるものの捺印領域が小さい場合確実ではない。
【０００４】
（ロ）は、自動押印機用ローラであり、押印圧を加えつつ回転する押印圧用ローラである。二本のローラで被捺印物の紙が可動するのと同時に捺印する構成であり、前後左右の捺印位置は同一位置に捺印できるが、本発明とは目的及び構成を異にしている。
【０００５】
（ハ）は、自動捺印装置に関するものであり、捺印対象物は電子機器その他の製品を所定箇所に載せるのみで所望の箇所に自動的に捺印が行われるようにした装置である。特に（ハ）は被捺印製品を所定位置に載置するための位置決めガイドを有する可動台である。捺印台はフットスイッチ２３によりエアーシリンダー９によりインク付加機能付捺印器の真下に位置するように作動する。その時、リミットスイッチ７が押圧され、所定位置の認識と前記インク付加機能付捺印器の押圧が始まり被捺印物に捺印される。したがって、被捺印物の前後左右の捺印位置は同一位置に捺印可能である。
この点本発明とは同様であるが、可動台はレール上を移動し、構成上も複雑となっている。
【０００６】
（二）は、ナンバーリング機における印字台であり、印字台下に小径孔を設け、この小径孔に通光性のある合成樹脂ファイバー線の一端部を連結して設けており、またストッパーの両端には印字スイッチを設けている。したがって、本発明とは構成をことにしている。
【０００７】
（ホ）は、自動捺印装置であるが、捺印台について、本発明のように被捺印物の挿入に対して捺印動作を行える構成ではなく、また、前記被捺印物とともに捺印台が可動するものではない。（ホ）は（イ）と同様に非捺印物の補助具がないため左右前後の捺印位置が定まらず同一位置に容易く捺印することが出来ない。以上のように、従来の自動及び電動捺印機には、容易な構成で被捺印物に前後左右が同一位置に捺印可能ではない。また、従来の自動捺印機の補助具は、被捺印物の挿入動作と共に捺印台をスライドさせ、捺印スイッチを入れるものではない。
【０００８】
【特許文献１】
実公昭５７−２１３３号公報  （第２図）
【特許文献２】
実開昭６０−１２０８６３号公報    （第１図）
【特許文献３】
特開平４−１５６３７９号公報    （図１図）
【特許文献４】
実公平１−１６６２５号公報  （第１図）
【特許文献５】
特許登録番号２９３９９０４号    （第１図）
【０００９】
【発明が解決しようとする課題】
以上のように従来、被捺印物は、捺印台の上にただ載せるだけで別のスイッチを押圧し印字又は捺印機を下方に作動させたり、回転させたりして捺印を行うものであった。
しかし、こうした捺印機では片手で被捺印物を保持し、後の片手で別のスイッチ等を押圧しなければならず、非常に被捺印物の固定に不安定であり、別スイッチの場合片手で押圧する作動も伴うものである。
したがって、両手で被捺印物を固定でき、別スイッチによる捺印機の作動を行うことなく、一連の動作の中で押印器の押圧作業が行える自動捺印機の捺印用補助具を提供するものである。
【００１０】
【課題を解決するための手段】
印判がモーターで上下動するような捺印機において、固定突起を誘導溝により誘導すると共に、可動突起を長孔形状の孔により誘導し、前記固定突起と孔の組合わせと、前記可動突起と誘導溝のそれぞれの組合せが、前記捺印台の受台又は前記スライド部材にそれぞれ別に設けられており、前記スライド部材が弾発部材により弾発支持されており、更に前記捺印用補助具には捺印台に設けられた捺印スイッチを押圧する押圧片をスライド部材に設けたことを特徴とする捺印用補助具である。
【００１１】
【実施例】
本発明を図１、図２、図３、図４、図５をもとに詳細に説明する。
１は、自動又は電動の捺印機本体であり、モーター、駆動系部材、駆動制御部、駆動変換部材等が内部に配置されており、前記モーターの回転力をアームや回転歯車により伝達部材により伝達し、上下動する駆動軸にいたるものである。
最終駆動軸には捺印機を有しており、常時は上方に位置しており、捺印時に下方に降りて被捺印物に捺印を行うものである。
本発明では、自動又は電動の捺印機の駆動方法や、伝達方法について全てのモーター回転を捺印機の上下動に変換する変換方法について問うものではない。
本発明には、モーター回転を捺印機の上下動に変換する変換方法の全ての方法が適用可能である。
【００１２】
２は、捺印部であり、本発明はインキを含浸させた印字体を有するものである。しかし、インキを含浸させた印字体で無く、刻印タイプの物であってもよい。
【００１３】
３は、受台であり、本発明では、前記受台３の内部に接触スイッチ４が設けられている。
受台３の表面には固定突起５の一部が突出しており、受台３の内部まで突設されており、前記受台３の内部で固定突起５にスプリング６の一方端を連結している。更に受台３の表面には、孔７が設けられており、スライド部材８の下面に設けられた可動突起９を挿入し、前後動可能としている。また、受台３の表面には接触スイッチ４の接触部が露呈されている。前記孔７は長孔形状をしており、可動突起９を誘導し、摺動させている。
【００１４】
８は、スライド部材であり、被捺印物を前方より挿入出来、挿入した被捺印物の挿入位置を制限出来るものである。前記スライド部材８は、基板１０の上面に左右の誘導片１１と接触スイッチ４の接触部を露呈している部分を押圧する押圧片１４を設けており、前記左右の誘導片１１の間隔で被捺印物を挿入可能としており、更に左右の誘導片１１の上面に架橋させた状態で保持片１２を設けている。挿入制限は制限部１５を設けて被捺印物を当接制限している。左右の誘導片１１の間隔が、挿入する被捺印物の幅と同じ程度であれば、本発明の捺印用補助具を使用することで捺印位置の前後左右の位置が常に一定になる。
【００１５】
また、スライド部材８の裏面には、前記固定突起５が前記スライド部材８を前後に誘導する誘導溝１３を設けている。更に、スライド部材８の裏面には可動突起９を突設させており、受台３の内部にまで突設されている。
本発明の実施例では、固定突起５が前方（挿入口側）にあり、可動突起９が後方（奥側）に存在する。
固定突起５と可動突起９は、受台３の内部でスプリング６により連結されており、スライド部材８を常に前方に弾発支持している。特にはスライド部材８が前方に弾発していればよい。前記固定突起５と可動突起９の設ける個数は、それぞれ１個以上であればその個数は問わない。
【００１６】
スライド部材８の弾発方法の他の実施例では、固定突起５と可動突起９のスプリング６を無くし、受台３の内部又は外部に設けた弾発保持壁２０を設け、制限部１５と弾発保持壁２０の間に弾発部材を配置し、常にスライド部材８を前方に弾発支持している。この弾発方法の他の実施例では、被捺印物をスライド部材８の挿入口に挿入し、制限部１５と弾発保持壁２０の間に設けた弾発部材の圧縮された弾発力に抗して、スライド部材８と共に後方（奥）に押され捺印位置で捺印部２を上下動するスイッチが入る。そして、捺印後、被捺印物の押圧力を解除すると弾発部材の元の位置に戻ろうとする弾発力により元の位置に戻る。
【００１７】
本発明の作用について詳細に説明する。
スライド部材８の挿入口に被捺印物を挿入する。すると、被捺印物は制限部１５に当接され、スライド部材８を後方（奥）に押しやる。このとき、固定突起５と可動突起９がスプリング６により連結されているので、被捺印物はこの弾発力（引張り力）に抗してスライド部材８を奥に押し進めることになる。更にこのとき固定突起５は誘導溝１３の中を誘導され、更に可動突起９は、孔７の中を摺動する。誘導溝１３と長孔形状の孔７の距離は、同じ距離であり、最後方（最奥）の位置は、捺印機の捺印位置である。また、最後方の位置で接触スイッチ４が入り、捺印用のモーターを稼動させ、印判を下方に押しやり、被捺印物に捺印する。捺印用のモーターは駆動制御部により制御された印判を捺印後、元の位置に戻し、再度の捺印を可能とする。
【００１８】
そして、被捺印物を後方に押しやる力を解除すると引張られたスプリング６は元に戻ろうとする力でして、スライド部材８はスプリング６により前方の元の位置に戻される。この時、固定突起５は誘導溝１３の中を、可動突起９は孔７の中をそれぞれ誘導されて、スプリング６の蓄積された力により、スライド部材８を元の位置に戻す。最後に被捺印物をスライド部材８の挿入口から抜き取り、捺印完了する。
ここで、スライド部材８
【００１９】
被捺印物については本発明において、硬いものであれば使用可能である。紙であれば腰があり、手により押圧力を後方に押圧出来る硬さであれば良く、熱可塑性や熱硬化性の合成樹脂、金属板、非鉄板が使用可能である。
以上の構成であるので、両手で被捺印物を固定でき、別スイッチによる捺印機の作動を行うことなく、一連の動作の中で押印器の押圧作業が行える自動捺印機の捺印用補助具である。また、被捺印物を挿入口から挿入するだけで、捺印機の接触スイッチ４が入り、捺印可能となる。
【００２０】
【効果】
以上の構成であるので、被捺印物を電動又は自動の捺印機のスライド部材８に挿入して、捺印機の後方（奥）に押圧力を加えることによってスライド部材８をスライドさせ、更に接触スイッチ４が入るような構成であるので、両手で被捺印物を固定でき、別スイッチによる捺印機の作動を行うことなく、一連の動作の中で押印器の押圧作業が行える自動捺印機の捺印用補助具である。また、被捺印物を挿入口から挿入するだけで、すぐに捺印可能となる。
【００２１】
【図面の簡単な説明】
【図１】本発明の実施例の全体斜視図。
【図２】本発明の実施例の断面説明図。
【図３】本発明の実施例のスライド部材８の初期状態説明図。
【図４】本発明の実施例のスライド部材８の作動状態説明図。
【図５】本発明の他の実施例のスライド部材８の説明図。
【符号の説明】
１  ：捺印機本体
２  ：捺印部
３  ：受台
４  ：接触スイッチ
５  ：固定突起
６  ：スプリング
７  ：孔
８  ：スライド部材
９  ：可動突起
１０  ：基板
１１  ：誘導片
１２  ：保持片
１３  ：誘導溝
１４  ：押圧片
１５  ：制限部
【図１】
2004314522.tif 000003
【図２】
2004314522.tif 000004
【図３】
2004314522.tif 000005
【図４】
2004314522.tif 000006
【図５】
2004314522.tif 000007
【手続補正書】
【提出日】平成15年4月18日(2003.4.18)
【手続補正１】
【補正対象書類名】明細書
【補正対象項目名】図面の簡単な説明
【補正方法】変更
【補正の内容】
【図面の簡単な説明】
【図１】本発明の実施例の全体斜視図。
【図２】本発明の実施例の断面説明図。
【図３】本発明の実施例のスライド部材８の作動状態説明図。
【図４】本発明の実施例のスライド部材８の初期状態説明図。
【図５】本発明の他の実施例のスライド部材８の説明図。